(57)【要約】【課題】球発射装置のハンドルの操作性を損なうことなく、当該ハンドルを遊技機メーカーにとって個性や商品性を有さない非固有的部品に設けるようにした遊技機を提供する。【解決手段】本体枠１２０は、その左下隅角部にて、ハンドル１５０ｂを備えている。また、当該本体枠１２０は、ハンドル１５０の周囲に対する突出部１２５にて、ハンドル１５０ｂとともに、操作表示回動部材２００ｂの他側回動部２４０の切り欠き部２４２を介して前方を臨んでいる。【選択図】図４
2014188255.tif 000002
【特許請求の範囲】
【請求項１】
中枠と、当該中枠に組み付けられる遊技盤及び球発射装置と、前記遊技盤をその前側から覆うように構成してなる前扉とを備える遊技機において、
前記球発射装置は、前記中枠の下部に設けたハンドルを備えており、
前記中枠は、その下部のうち少なくとも前記ハンドルの周囲に対する対応部位にて、前記ハンドルと共に、前側に露出することを特徴とする遊技機。
【請求項２】
前記前扉は、遊技者が遊技の状況に応じて操作可能なように演出用ボタンスイッチ装置を設けてなることを特徴とする請求項１に記載の遊技機。
【発明の詳細な説明】
【技術分野】
【０００１】
本発明は、パチンコ遊技機等の遊技機に関する。
【背景技術】
【０００２】
近年、ホールへの遊技機の導入費用高騰抑制の見地から、低価額の遊技機の開発や販売が、ホール事業者により強く要請されている。また、自然環境を保護する見地から、遊技機から生ずる産業廃棄物の減少やリサイクルに対する要請が、高まっている。
【０００３】
従って、遊技機が、その全構成に亘り、異なる遊技機メーカー毎に独自に或いは同一の遊技機メーカーの機種毎に開発製造されていると、遊技機メーカーが異なるか同一であるかを問わず、上述の要請には応えにくい。
【０００４】
これに対しては、遊技機の構成部品を、遊技機メーカー毎或いは機種毎の個性や商品性等の固有性に影響しない外枠、中枠や球発射装置のハンドル等の遊技機メーカーにとって固有性のない非固有的部品と、上記個性や商品性等の固有性を生み出す遊技盤や前枠等の遊技機メーカーにとって固有性のある固有的部品とに仕分けして、新台入れ替えの際には、非固有的部品をそのままにして、固有的部品のみを、入れ替えすることが望まれる。
【先行技術文献】
【特許文献】
【０００５】
【特許文献１】特開２０１１−１１０３４４
【発明の概要】
【発明が解決しようとする課題】
【０００６】
しかしながら、当該ハンドルは遊技機メーカーにとって非固有的部品であるにもかかわらず、当該ハンドルが、遊技機メーカーにとって固有的部品、例えば、個性や商品性等に係る固有の仕様を有する前枠（上記特許文献１参照）に設けられていると、新台入れ替えの際には、本来入れ替えの必要がないハンドルも、前枠と共に入れ替えられることになる。これでは、上述の要請には応えにくい。
【０００７】
そこで、本発明は、以上のようなことに対処するため、球発射装置のハンドルの良好な操作性を損なうことなく、当該ハンドルを遊技機メーカーにとって個性や商品性を有さない非固有的部品に設けるようにした遊技機を提供することを目的とする。
【課題を解決するための手段】
【０００８】
上記課題の解決にあたり、本発明に係る遊技機は、請求項１の記載によれば、
中枠（１２０）と、当該中枠に組み付けられる遊技盤（１３０）及び球発射装置（１５０）と、遊技盤をその前側から覆うように構成してなる前扉（１００ｃ）とを備える。
【０００９】
当該遊技機において、球発射装置は、中枠の下部に設けたハンドル（１５０ｂ）を備えており、
中枠は、その下部のうち少なくともハンドルの周囲に対する対応部位（１２５）にて、ハンドルと共に、前側に露出することを特徴とする。
【００１０】
このように、ハンドルは、例えば前扉ではなく、中枠の下部に設けられている。従って、遊技機メーカーにとって個性や商品性を有する固有的部品である前扉をその交換時期に新たな前扉に交換するにあたり、遊技機メーカーにとって個性や商品性を有さない非固有的部品であるハンドルを、これと同様に非固有的部品である中枠と共に、新たに交換せずに済ませることができる。その結果、ホール事業者にとっては、新たな中枠に加えて新たなハンドルをも準備する必要もなく、非常に経済的である。
【００１１】
また、中枠は、その下部のうち少なくともハンドルの周囲に対する対応部位にて、ハンドルと共に、前側に露出する。従って、遊技者は、その手により、ハンドルの操作を容易に行うことができる。このことは、ハンドルを上述のように中枠に設けても、ハンドルの良好な操作性を維持し得ることを意味する。
【００１２】
また、本発明は、請求項２の記載によれば、請求項１に記載の遊技機において、
前扉は、遊技者が遊技の状況に応じて操作可能なように演出用ボタンスイッチ装置（ＰＢ）を設けてなることを特徴とする。
【００１３】
これによれば、遊技者が遊技の状況に応じて操作可能なように、演出用ボタンスイッチ装置が前扉に設けられている。当該演出用ボタンスイッチ装置は、前扉と共に、遊技機メーカーの個性や商品性を発揮することから、この演出用ボタンスイッチ装置を前扉に設けることで、請求項１に記載の発明の作用効果を達成しつつ、遊技機メーカーは、前扉の交換の際には、当該遊技機メーカーの個性や商品性を発揮し得る新たな演出用ボタンスイッチ装置の採用が可能となる。
【発明の効果】
【００１４】
本発明によれば、ハンドルを中枠の下部に設けることで、遊技機メーカーにとって個性や商品性を有さない非固有的部品であるハンドルを、これと同様に非固有的部品である中枠と共に、新たに交換せずに済ませることができる。その結果、ホール事業者にとっては、新たな中枠に加えて新たなハンドルをも準備する必要もなく、非常に経済的である。また、このようにハンドルを中枠の下部に設けても、ハンドルが前側に露出しているので、ハンドルの良好な操作性を維持し得る。
【００１５】
なお、上記各手段の括弧内の符号は、後述する実施形態に記載の具体的手段との対応関係を示す。
【図面の簡単な説明】
【００１６】
【図１】本発明を適用してなる遊技設備の一実施形態を示す斜視図である。
【図２】図１の遊技設備を示す他の斜視図である。
【図３】図１の遊技設備を示す平面図である。
【図４】図１の遊技設備を示す分解斜視図である。
【図５】図４の機枠（外枠）を示す拡大斜視図である。
【図６】図１の遊技設備を、遊技機の前扉を開くとともに回動部材の他側回動部を回動させた状態で示す斜視図である。
【図７】図４の機枠及び本体枠（中枠）をその組み付け状態にて示す拡大斜視図である。
【図８】図７の機枠及び本体枠の各左側上部をその組み付け状態にて示す拡大斜視図である。
【図９】図７の機枠及び本体枠の各左側中間部位をその組み付け状態にて示す拡大斜視図である。
【図１０】図７の機枠及び本体枠の各左側下部をその組み付け状態にて示す拡大斜視図である。
【図１１】図１の遊技設備をその後方からみた斜視図である。
【図１２】図６の遊技設備の部分拡大斜視図である。
【図１３】図４の球貸し処理装置を示す拡大斜視図である。
【図１４】図４の球貸し処理装置を示す平面図である。
【図１５】図１０の回動部材を、他側回動部にて回動した状態で示す球貸し処理装置の平面図である。
【図１６】図１０の回動部材を、他側回動部にて回動した状態で示す球貸し処理装置を示す斜視図である。
【図１７】図１０の回動部材を、一側及び他側の回動部の双方を回動した状態で示す球貸し処理装置の平面図である。
【発明を実施するための形態】
【００１７】
以下、本発明の一実施形態を図面により説明する。図１は、本発明を遊技機設備Ａに適用してなる一実施形態を示している。遊技機設備Ａは、パチンコホール内の島設備に立設されるものである。なお、図１において、図示左側斜め後方、右側斜め前方、上側及び下側が、それぞれ、当該遊技機設備Ａの左側、右側、上側及び下側に対応する。
【００１８】
当該遊技機設備Ａは、図１〜図４にて示すごとく、封入式パチンコ遊技機１００と、球貸し処理装置２００とにより構成されている。パチンコ遊技機１００は、球貸し処理装置２００と共に、上記島設備の設置台上に配置されるようになっている。ここで、球貸し処理装置２００は、パチンコ遊技機１００にその左側にて沿うように上記設置台上に配置されるようになっている。
【００１９】
パチンコ遊技機１００は、図１〜図４のいずれかにて示すごとく、機枠１００ａ、遊技機本体１００ｂ及び前扉１００ｃを備えている。機枠１００ａは、外枠ともいわれるもので、この機枠１００ａは、島設備の設置台上に立設されるようになっている。当該機枠１００ａは、図４或いは図５にて例示するごとく、左右両側枠板１１０ａ、１１０ｂ及び上下両側枠板１１０ｃ、１１０ｄでもって、矩形状に構成されている。
【００２０】
また、当該機枠１００ａは、図５にて示すごとく、上側ヒンジ１１１、下側ヒンジ１１２及び中側ヒンジ１１３を備えており、これら上側、下側及び中側のヒンジ１１１〜１１３は、共に、金属板でもって形成されている。
【００２１】
上側ヒンジ１１１は、後述のごとく、下側ヒンジ１１２と共に、遊技機本体１００ｂの左縁部を支持し、かつ、中側ヒンジ１１３と共に、前扉１００ｃの左縁部を支持する役割を果たす。当該上側ヒンジ１１１は、その幅方向において、機枠１００ａの上側枠板１１０ｃの長手方向に沿うように位置して、上側枠板１１０ｃの左端部から前方へ延出している。
【００２２】
ここで、上側ヒンジ１１１は、その基端部にて、上側枠板１１０ｃの左端切り欠き部内に配設されており、当該上側ヒンジ１１１の基端部は、その左縁部にて、上側枠板１１０ｃの左端切り欠き部内上面と左側枠板１１０ａの上端面との間に挟持されている。しかして、当該上側ヒンジ１１１は、その基端部から前方へ延出している。なお、上側枠板１１０ｃの左端切り欠き部は、上側枠板１１０ｃの左端部をその下側から上方へＬ字状に切り欠くことで形成されている。
【００２３】
下側ヒンジ１１２は、その幅方向において、機枠１００ａの下側枠板１１０ｄの長手方向に沿うように位置して、下側枠板１１０ｄの左端部から前方へ延出している。ここで、下側ヒンジ１１２は、その基端部の左縁部にて、下側枠板１１０ｄの左端部と左側枠板１１０ａの下端部との間に挟持されており、当該下側ヒンジ１１２は、その基端部から上側ヒンジ１１１に平行に対向するように前方へ延出している。
【００２４】
また、中側ヒンジ１１３は、前扉１００ｃの左縁下端部に対応する位置にて、機枠１００ａの左側枠板１１０ａの長手方向中間部位から上下両側ヒンジ１１１、１１２の間にてこれらヒンジ１１１、１１２に平行となるように延出している。
【００２５】
ここで、当該中側ヒンジ１１３は、その基端部の左縁部にて、左側枠板１１０ａの長手方向中間部位に形成した溝部に嵌着されており、当該中側ヒンジ１１３は、その基端部から前方へ延出している。これにより、中側ヒンジ１１３は、上側ヒンジ１１１の直下に位置し、かつ下側ヒンジ１１２の直上に位置している。なお。左側枠板１１０ａの上記溝部は、当該左側枠板１１０ａの上記長手方向中間部位をその右側からコ字状に切り欠くことで形成されている。
【００２６】
遊技機本体１００ｂは、図４或いは図６にて例示するごとく、本体枠１２０及び遊技盤１３０を備えている。本体枠１２０は、中枠或いは内枠ともいわれるもので、当該本体枠１２０は、図６或いは図７にて示すごとく、機枠１００ａ内に前後方向に開閉可能に組み付けられている。
【００２７】
当該本体枠１２０は、図４或いは図７にて示すごとく、左右両側枠板１２０ａ、１２０ｂ、上下両側枠板１２０ｃ、１２０ｄ及び背板１２０ｅを備えており、左側枠板１２０ａ、右側枠板１２０ｂ、上側枠板１２０ｃ及び下側枠板１２０ｄは、図５にて示すごとく、互いに矩形枠状に組み付けられている。
【００２８】
背板１２０ｅは、左側枠板１２０ａ、右側枠板１２０ｂ、上側枠板１２０ｃ及び下側枠板１２０ｄの間の中空部内に組み付けられており、背板１２０ｅは、その板厚方向にて、左側枠板１２０ａ、右側枠板１２０ｂ、上側枠板１２０ｃ及び下側枠板１２０ｄの各幅方向に沿うように、左側枠板１２０ａ、右側枠板１２０ｂ、上側枠板１２０ｃ及び下側枠板１２０ｄの各後縁部に嵌装されることで、左側枠板１２０ａ、右側枠板１２０ｂ、上側枠板１２０ｃ及び下側枠板１２０ｄに組み付けられている。なお、当該背板１２０ｅの中間部位には、矩形状開口部が形成されている（図７参照）。
【００２９】
また、当該本体枠１２０は、図４にて示すごとく、上側ヒンジ１２１及び下側ヒンジ１２２を備えており、上側ヒンジ１２１は、その幅方向において、本体枠１２０の上側枠板１２０ｃの長手方向に沿うように位置して、上側枠板１２０ｃの左縁部から前方へ延出している。ここで、当該上側ヒンジ１２１は、その基端部にて、上側枠板１２０ｃの左端部上に取り付けられており、この上側ヒンジ１２１は、その基端部から、機枠１００ａの上側ヒンジ１１１にその直下から沿うように、前方へ延出して、機枠１００ａの上側ヒンジ１１１にその直下から沿うように位置する（図４及び図７参照）。
【００３０】
下側ヒンジ１２２は、その幅方向において、本体枠１２０の下側枠板１２０ｄの長手方向に沿うように位置して、下側枠板１２０ｄの左縁下端部から前方へ延出している。ここで、当該下側ヒンジ１２２は、その基端部にて、下側枠板１２０ｄの左縁下端部にその下面側から取り付けられており、当該下側ヒンジ１２２は、その基端部から前方へ延出して、上側ヒンジ１２１に平行に対向しかつ機枠１００ａの下側ヒンジ１１２にその直上から沿うように位置する（図４及び図７参照）。
【００３１】
しかして、このように構成した本体枠１２０は、機枠１００ａに対し次のようにして組み付けられる。
【００３２】
即ち、本体枠１２０は、その左側枠板１２０ａ、右側枠板１２０ｂ、上側枠板１２０ｃ及び下側枠板１２０ｄの各外面にて、それぞれ、機枠１００ａの左側枠板１１０ａ、右側枠板１１０ｂ、上側枠板１１０ｃ及び下側枠板１１０ｄの各内面に沿うように、機枠１００ａ内に嵌装される。
【００３３】
これに伴い、本体枠１２０の上側ヒンジ１２１が、その上面にて、機枠１００ａの上側ヒンジ１１１の下面に沿い重畳されるように位置し、一方、本体枠１２０の下側ヒンジ１２２が、その下面にて、機枠１００ａの下側ヒンジ１１２の上面に沿い重畳されるように位置する（図８及び図１０参照）。
【００３４】
このような状態にて、本体枠１２０の上側ヒンジ１２１が、後述のごとく、機枠１００ａの上側ヒンジ１１１に前後方向に回動可能に支持されるとともに、本体枠１２０の下側ヒンジ１２２が、後述のごとく、機枠１００ａの下側ヒンジ１１２に前後方向に回動可能に支持される。このことは、本体枠１２０は、その左側枠板１２０ａにて、機枠１００ａの左側枠板１１０ａに対し前後方向に開閉可能にヒンジ連結されることを意味する。
【００３５】
しかして、このように機枠１００ａに組み付けられた本体枠１２０は、その閉状態では、機枠１００ａ内に位置している。また、当該本体枠１２０を開くときには、当該本体枠１２０は、その左側枠板１２０ａを基準として、機枠１００ａの内部から前方へ回動する。なお、本体枠１２０の下側枠板１２０ｄの左縁部のうち、機枠１００ａの中側ヒンジ１１３に対する対応部位には、切り欠き部１２４が形成されている。これにより、本体枠１２０を機枠１００ａに対し閉じたとき、中側ヒンジ１１３が、切り欠き部１２４に挿通されて、本体枠１２０と干渉しないようになっている。
【００３６】
遊技盤１３０は、本体枠１２０の内部、即ち、左側枠板１２０ａ、右側枠板１２０ｂ、上側枠板１２０ｃ及び下側枠板１２０で構成される中空部内にその前面側から嵌装されて背板１２０ｅに沿い組み付けられており、当該遊技盤１３０は、その盤面１３１にて、前方を臨んでいる(図４及び図６参照)。
【００３７】
また、遊技機本体１００ｂは、図４或いは図６にて示すごとく、案内レール１３２、環状の装飾構造体１３３、液晶表示装置１３４、始動入賞口装置１３５や大入賞口装置１３６等の各種入賞口装置及び図示しない電動チューリップ、ゲート、風車その他の各盤面部品を備えている。
【００３８】
案内レール１３２は、遊技盤１３０の盤面１３１に組み付けられており、当該案内レール１３２は、その内周側にて、盤面１３１上に遊技領域１３１ａを構成する。なお、案内レール１３２の最下端部の直上には、アウト口１３１ｂ（排出口１３１ｂ）が形成されている。このアウト口１３１ｂは、遊技盤１３０の盤面１３１に沿い転動して案内レール１３２の最下端部に達する遊技球を遊技盤１３０の後側へ排出する。また、アウト口１３１ｂを通り排出される遊技球は、アウト口１３１ｂ内に設けた排出センサ（図示しない）により検出される。
【００３９】
環状の装飾構造体１３３は、遊技盤１３０の開口部（図示しない）にその外周部に沿い前面側から組み付けられている。液晶表示装置１３４は、装飾構造体１３３の内側にて、遊技盤１３０の上記開口部に本体枠１２０の矩形状開口部を介し嵌装して組み付けられている。
【００４０】
始動入賞口装置１３５及び大入賞口装置１３６は、装飾構造体１３３の直下にて、遊技盤１３０の盤面１３１に組み付けられている。上記電動チューリップ、ゲート、風車は、遊技盤１３０の盤面１３１に分散して組み付けられている。なお、遊技盤１３０の盤面１３１には、その遊技領域１３１ａに亘り、多数の遊技釘（図示しない）が、分散して打ち込まれている。
【００４１】
また、遊技機本体１００ｂは、図１１にて示すごとく、遊技制御装置１４０（主基板及び副基板からなる）を備えており、この遊技制御装置１４０は、遊技盤１３０の背面に本体枠１２０の背板１２０ｅの上記開口部を介し組み付けられている。なお、遊技盤１３０の盤面１３１には、その遊技領域１３１ａに亘り、多数の遊技釘（図示しない）が、分散して打ち込まれている。
【００４２】
しかして、当該遊技制御装置１４０は、マイクロコンピュータからなるもので、このマイクロコンピュータである遊技制御装置１４０は、図示しないフローチャートに従い遊技処理プログラムを実行する。なお、上記遊技処理プログラムは、遊技制御装置１４０の記憶素子であるＲＯＭに予め読み出し可能に記憶されている。
【００４３】
また、遊技機本体１００ｂは、図１〜図４、図６、図７及び図１１のいずれかにて示すごとく、球発射装置１５０を備えており、当該球発射装置１５０は、球発射装置本体１５０ａ、ハンドル１５０ｂ及び球発射制御基板１５０ｃでもって構成されている。
【００４４】
球発射装置本体１５０ａは、図４、図６、図７或いは図８にて示すごとく、遊技機本体１００ｂの中枠である本体枠１２０の左上隅角部に組み付けられている。ここで、当該球発射装置本体１５０ａは、遊技盤１３０を本体枠１２０に組み付けたとき、遊技盤１３０の左上隅角部に切欠き形成してなる切欠き部１３１ｃ(図４参照）を通り前方を臨むように、本体枠１２０の左上隅角部に組み付けられている。
【００４５】
ハンドル１５０ｂは、本体枠１２０の下側枠板１２０ｄの右下隅角部に突出形成した突出部１２５にその前面側から左右方向に回動操作可能に支持されている。なお、球発射制御基板１５０ｃは、本体枠１２０の下側枠板１２０ｄの右下隅角部にその背面側から組み付けられている。
【００４６】
このように構成した球発射装置１５０においては、球発射装置本体１５０ａは、揚送装置（図示しない）から揚送される遊技球を、ハンドル１５０ｂの回動操作に応じて、球発射制御機構である球発射制御基板１５０ｃ（図１１参照）による制御のもとに、球発射レール（図示しない）から案内レール１３２の案内口部１３２ａを介して遊技領域１３１ａ内に向けて発射するようになっている。
【００４７】
ここで、案内レール１３２の案内口部１３２ａは、図４或いは図６にて示すごとく、遊技盤１３０の左上隅角部にて、球発射装置本体１５０ａの上記球発射レールに対向するように形成されている。また、上記揚送装置は、遊技盤１３０の盤面に沿いその遊技領域１３１ａにて下方に向けて転動して上記入賞口装置に入賞する入賞球やアウト口１３１ｂに排出される遊技球を球発射装置本体１５０ａに向けて揚送するように構成されている。
【００４８】
前扉１００ｃは、前枠ともいわれるもので、当該前扉１００ｃは、図１〜図３及び図６のいずれかにて示すごとく、遊技盤本体１００ｂ及び機枠１００ａに対し前後方向に開閉可能に支持されている。
【００４９】
当該前扉１００ｃは、窓枠１６０及びガラス板１７０を備えている。窓枠１６０は、その左縁上下両側端部にて、本体枠１２０の上側ヒンジ１２１及び下側ヒンジ１２２の間に挿入されて、本体枠１２０及び機枠１００ａの各上側ヒンジ１２１、１１１及び本体枠１２０の切り欠き部１２４を介し前方へ延出する機枠１００ａの中側ヒンジ１１３にそれぞれ前後方向に回動可能に支持されている。このことは、前扉１００ｃが、その左縁部にて、本体枠１２０及び機枠１００ａの各左縁部に前後方向に開閉可能にヒンジ連結されていることを意味する。
【００５０】
ここで、窓枠１６０の左縁上側端部の各上側ヒンジ１２１、１１１に対する回動可能な支持及び窓枠１６０の左縁下側端部の中側ヒンジ１１３に対する回動可能な支持は、次のようにしてなされている。
【００５１】
上述のように窓枠１６０が、その左縁上下両側端部にて、本体枠１２０の上側ヒンジ１２１及び下側ヒンジ１２２の間に挿入されることで、窓枠１６０の左縁上側端部は、本体枠１２０の上側ヒンジ１２１にその直下から重畳されるとともに、窓枠１６０の左縁下側端部は、機枠１００ａの中側ヒンジ１１３にその直上から重畳される（図８及び図９参照）。
【００５２】
換言すれば、機枠１００ａの上側ヒンジ１１１が本体枠１２０の上側ヒンジ１２１の直上から当該上側ヒンジ１２１を介し窓枠１６０の左縁上側端部上に重畳されるとともに、機枠１００ａの中側ヒンジ１１３が、窓枠１６０の左縁下側端部にその直下から重畳される。
【００５３】
然る後、ピン状上側軸（図示しない）が、機枠１００ａの上側ヒンジ１１１及び本体枠１２０の上側ヒンジ１２１に形成した各貫通孔部１１１ａ、１２１ａに挿通されて窓枠１６０の左縁上側端部に支持される。また、ピン状下側軸（図示しない）が、機枠１００ａの中側ヒンジ１１３に形成した貫通孔部１１３ａに挿通されて窓枠１６０の左縁下側端部に支持される。
【００５４】
これにより、窓枠１６０は、上記ピン状上下両側軸を基準として、本体枠１２０に対し回動可能に支持され、かつ機枠１００ａに対し回動可能に支持される。なお、ガラス板１７０は、窓枠１６０の中空部に嵌装されて、遊技盤１３０を透視可能にしている。また、前扉１００ｃは、窓枠１６０の右端部にて、施錠機構（図示しない）により、本体枠１２０の右端部に施錠可能となっている。
【００５５】
また、前扉１００ｃは、図１或いは図２にて示すごとく、演出用ボタンスイッチ装置ＰＢを備えており、当該演出用ボタンスイッチ装置ＰＢは、前扉１００ｃの前枠１６０の左下隅角部に対応するように、その前側から機枠１００ａの中側ヒンジ１１３上に装着されている。
【００５６】
ここで、当該演出用ボタンスイッチ装置ＰＢは、遊技者の遊技中において操作し易い位置に位置している。本実施形態では、演出用ボタンスイッチ装置ＰＢは、例えば、単調になりがちなパチンコ遊技機による遊技において、遊技者を飽きさせないようにする演出するためのチャンスボタンスイッチ装置としての役割を果たす。
【００５７】
当該ボタンスイッチ装置ＰＢは、その接続端子にて、配線（図示しない）を介し電気接続機構１８０（後述する）に接続されており、当該ボタンスイッチ装置ＰＢは、その押しボタンを押動操作することで、操作出力を発生して、後述のごとく、電気接続機構１８０を介して遊技制御装置１４０に出力する。
【００５８】
本実施形態では、当該ボタンスイッチ装置ＰＢの押しボタンの押動操作は、液晶表示装置１３４において遊技中のキャラクター等の会話（例えば、大当たりへの期待度を表す会話）を演出表示させて遊技を盛り上げたり、確変大当たりが成立しているとき単発の大当たりとして表示させておきボーナスゲーム中に「確変の昇格した」と見せかける演出を行うときになされる。
【００５９】
また、前扉１００ｃは、図１或いは図２にて示すごとく、左右両側音声光演出装置ＳＬＤを備えており、当該左右両側音声光演出装置ＳＬＤは、前扉１００ｃの前枠１６０の左右両上側隅角部内に組み付けられている。
【００６０】
当該左右両側音声光演出装置ＳＬＤは、それぞれ、スピーカ等の音声発生器からなる音声演出装置と、発光ダイオード等の光源からなる光演出装置でもって構成されている。当該左右両側音声光演出装置ＳＬＤは、その各接続端子にて、配線（図示しない）を介し、電気接続機構１８０（後述する）に接続されており、当該左右両側音声光演出装置ＳＬＤは、後述のごとく、電気接続機構１８０を介し遊技制御装置１４０からの制御出力を受けて、音声演出及び光演出を行う。
【００６１】
また、当該パチンコ遊技機１００は、図６及び図１２にて示すごとく、電気接続機構１８０を備えており、この電気接続機構１８０は、両コネクタ部材１８１、１８３と、配線部材１８２とにより構成されている。
【００６２】
コネクタ部材１８１は、前扉１００ｃの前枠１６０の左下隅角部に形成した貫通穴部にその後方から嵌着されており、当該コネクタ部材１８１は、その各入力側コネクタ端子にて、配線（図示しない）を介しボタンスイッチ装置ＰＢの各接続端子及び左右両側音声光演出装置ＳＬＤの各接続端子に前記貫通穴部を通して接続されている。
【００６３】
一方、コネクタ部材１８３は、遊技盤１３０の盤面１３１のうち左下隅角部に形成した貫通穴部に嵌着されており、当該コネクタ部材１８３は、その各出力側コネクタ端子にて、配線（図示しない）を介し遊技制御装置１４０の副基板の各接続端子に接続されている。なお、当該副基板は、前扉１００ｃの左右両側音声光演出装置ＳＬＤによる音声演出や光演出のための制御処理を行うとともに、たとえば、ボタンスイッチ装置ＰＢからの操作出力に基づき、遊技盤１３０に設けた液晶表示装置１３４による演出表示のための制御処理を行う。
【００６４】
配線部材１８２は、その一側の各接続端子にて、コネクタ１８１の各出力側コネクタ端子に接続されており、当該配線部材１８２の他側の各接続端子は、コネクタ１８３の各入力側コネクタ端子に接続されている。
【００６５】
しかして、ボタンスイッチ装置ＰＢが、その押しボタンを押動操作されると、当該ボタンスイッチ装置ＰＢの操作出力が、コネクタ１８１、配線部材１８３及びコネクタ部材１８２を介し、上記副基板に出力される。
【００６６】
これに伴い、当該副基板は、ボタンスイッチ装置ＰＢの操作出力に基づき、左右両側音声光演出装置ＳＬＤに演出させたり、液晶表示装置１３４に演出表示をさせる。換言すれば、電気接続機構１８０は、ボタンスイッチ装置ＰＢ及び左右両側音声光演出装置ＳＬＤと、遊技制御装置１４０の副基板との間において演出制御関係を形成する。
【００６７】
球貸し処理装置２００は、図１〜図４、図６及び図１３のいずれかにて示すごとく、パチンコ遊技機１００の左側にて当該パチンコ遊技機１００に沿い付設されている。
【００６８】
当該球貸し処理装置２００は、遊技価値記録媒体処理装置或いはカードユニットといわれるものであって、この球貸し処理装置２００は、図１３〜図１７のいずれかにて示すごとく、装置本体２００ａと、操作表示回動部材２００ｂとにより構成されている。
【００６９】
装置本体２００ａは、その前部にて、パチンコ遊技機１００の前扉１００ｃの左縁前部に左右に並んで隣接するように、パチンコ遊技機１００に付設されている（図２参照）。この装置本体２００ａは、両挿入部２１０ａ、２１０ｂを有しており、当該両挿入部２１０ａ、２１０ｂは、装置本体２００ａの前方へ開口するように当該装置本体２００ａにその前部側から形成されている。本実施形態において、挿入部２１０ａは、プリペイドカードであるＩＣカードを挿入するためのものであり、一方、挿入部２１０ｂは、現金を挿入するためのものである。
【００７０】
また、当該装置本体２００ａは、図１１にて示すごとく、処理制御装置である処理制御基板２２０を内蔵している。当該処理制御基板２２０は、マイクロコンピュータを有しており、このマイクロコンピュータは、図示しないフローチャートに従いカード処理プログラムを実行する。なお、上記カード処理プログラムは、処理制御装基板２２０のマイクロコンピュータの記憶素子であるＲＯＭに予め読み出し可能に記憶されている。
【００７１】
操作表示回動部材２００ｂは、本体枠１２０の下側枠板１２０ｄ或いは装置本体２００ａの前側切り欠き部２１１及び本体枠１２０の下側枠板１２０ｄの双方を開放可能とするように、構成されている（図１、図２及び図４参照）。なお、装置本体２００ａの前側切り欠き部２１１は、図２にて示すごとく、当該装置本体２００ａの前側下部を後方へコ字状に切り欠くことで形成されている。
【００７２】
当該操作表示回動部材２００ｂは、一側及び他側の回動部２３０、２４０及びタッチパネル部２５０を備えている。一側回動部２３０は、その回動基端部にて、基軸２３１（図１５或いは図１７参照）により、装置本体２００ａの前側切り欠き部２１１の左側部位内にて前後方向に回動可能に支持されており、当該一側回動部２３０は、その回動基端部から他側回動部２４０側へ延出している。
【００７３】
ここで、基軸２３１は、装置本体２００ａの前側切り欠き部２１１の左側部位内にて左右方向に回動可能となるように支持されている。なお、当該一側回動部２３０のその回動基端部からの延出長さは、装置本体２００ａの前側下部の左右方向幅に対応する。
【００７４】
他側回動部２４０は、その回動基端部にて、中間軸２３２（図１３〜図１７参照）を介し一側回動部２３０の延出端部に前後方向に相対回動可能となるように連結されており、当該他側回動部２４０は、その回動基端部から延出している。
【００７５】
ここで、当該他側回動部２４０は、図１、図４或いは図６にて示すごとく、本体枠１２０の下側枠板１２０ｄのうちハンドル１５０ｂに対する対応部位にて、Ｌ字状に切り欠かれて、切り欠き部２４２として形成されている。このため、当該他側回動部２４０が、後述のように、本体枠１２０の下部である下側枠板１２０ｄをその前側から閉じるとき、ハンドル１５０ｂは、他側回動部２４０の切り欠き部２４２を介し前方を臨むように突出して位置する（図１参照）。このことは、本実施形態では、ハンドル１５０ｂは、本体枠１２０の突出部１２５とともに、他側回動部２４０の切り欠き部２４２を介し、前方に露出していることを意味する。
【００７６】
また、他側回動部２４０は、機枠１００ａの中側ヒンジ１１３と本体枠１２０の下側ヒンジ１２２との間の間隔に対応する上下方向幅を有する。本実施形態では、中間軸２３２は、その軸方向両側端部にて、一側回動部２３０の延出端部に設けたコ字状フランジ２３２ａの上下両側腕部に形成した各貫通孔部内に回動可能に支持されている。
【００７７】
このように構成した操作表示回動部材２００ｂによれば、一側回動部２３０が装置本体２００ａの前側下部を前側切り欠き部２１１にてその前面側から閉じるとともに、他側回動部２４０が本体枠１２０の下側枠板１２０ｄをその前面側から閉じている状態にあるとき、他側回動部２４０の回動基端部は、機枠１００ａの中側ヒンジ１１３と本体枠１２０の下側ヒンジ１２２との間に嵌まり込むとともに、中間軸２３２が、その軸方向上側端部にて、機枠１００ａの中側ヒンジ１１３の貫通孔部１１３ａに係脱可能に支持され、かつ、軸方向下側端部にて、本体枠１２０の下側ヒンジ１２２の貫通孔部１２２ａ及び機枠１００ａの下側ヒンジ１１２の貫通孔部１１２ａに係脱可能に支持されている。
【００７８】
このことは、操作表示回動部材２００ｂが、他側回動部２４０にて、中間軸２３２にて、遊技機本体１００ｂ及び前扉１００ｃと同軸的にかつ回動可能に支持されることを意味する。
【００７９】
ここで、上述のような中間軸２３２の軸方向上下両側端部の中側ヒンジ１１３の貫通孔部１１３ａ及び下側ヒンジ１２２、１１２の各貫通孔部１２２ａ、１１２ａに対する係脱可能な支持は、次のような構成のもとになされる。
【００８０】
円筒状上側キャップ部（図示しない）が一側コイルスプリング（図示しない）を介し中間軸２３２の軸方向上側端部に同軸的に変位可能に嵌装されており、一方、円筒状下側キャップ部（図示しない）が他側コイルスプリング（図示しない）を介し中間軸２３２の軸方向下側端部に同軸的に変位可能に嵌装されている。
【００８１】
しかして、上記上側キャップ部が、上記一側コイルスプリングに抗して中間軸２３２の軸方向上側端部に向けて同軸的に押動されて下方へ変位することで、機枠１００ａの中側ヒンジ１１３の貫通孔部１１３ａ内にその直下から係脱可能となり、また、上記下側キャップ部が、上記他側コイルスプリングに抗して中間軸２３２の軸方向下側端部に向けて同軸的に押動されて上方へ変位することで、下側ヒンジ１２２、１１２の各貫通孔部１２２ａ、１１２ａ内にその直上から係脱可能となる。
【００８２】
このような構成のもと、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させた状態にする。
【００８３】
然る後、他側回動部２４０をその回動基端部にて上記上下両側キャップ部と共に機枠１００ａの中側ヒンジ１１３の貫通孔部１１３ａと本体枠１２０の下側ヒンジ１２２の貫通孔部１２２ａとの間に挿入しつつ上述した上下両側キャップ部に対する押動を解除する。
【００８４】
これに伴い、当該上下両側キャップ部が、上記一側及び他側のコイルスプリングの作用のもとに、貫通孔部１１３ａ及び両貫通孔部１２２ａ、１１２ａを通り上下方向に向けて変位して原位置に復帰する。すると、中間軸２３２が、その軸方向上側端部にて、上記上側キャップ部を介し機枠１００ａの中側ヒンジ１１３の貫通孔軸１１３ａに係脱可能に支持され、かつ、軸方向下側端部にて、上記下側キャップ部を介し本体枠１２０の下側ヒンジ１１２の貫通孔部１１２ａ及び機枠１００ａの下側ヒンジ１１２の貫通孔部１１２ａに係脱可能に支持される。
【００８５】
また、このような状態にて、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させつつ、他側回動部２４０をその回動基端部にて機枠１００ａの中側ヒンジ１１３と本体枠１２０の下側ヒンジ１２２との間から解放する。
【００８６】
これに伴い、中間軸２３２が、その軸方向上側端部にて、上記上側キャップ部と共に、機枠１００ａの中側ヒンジ１１３の貫通孔軸１１３ａから脱出し、かつ、軸方向下側端部にて、上記下側キャップ部と共に、本体枠１２０の下側ヒンジ１２２の貫通孔部１２２ａ及び機枠１００ａの下側ヒンジ１１２の貫通孔部１１２ａから脱出する。このことは、操作表示回動部材２００ｂが、回動部２４０にて、中間軸２３２を介する遊技機本体１００ｂとの支持を解除されることを意味する。
【００８７】
タッチパネル部２５０は、図１〜図３、図１３及び図１５〜図１７のいずれかにて示すごとく、他側回動部２４０の収容部２４１の開口部２４１ａ内に嵌装されており、当該タッチパネル部２５０は、操作部及び表示部としての役割を果たす。
【００８８】
ここで、収容部２４１は、他側回動部２４０の中間部位から前方へ箱状に突出形成されており、当該収容部２４１の開口部２４１ａは、前側上方へ傾斜状に対向している。これに伴い、タッチパネル部２５０は、その表示面にて、開口部２４１ａ内にて前側上方へ傾斜状に対向する。
【００８９】
これにより、タッチパネル部２５０は、パチンコ遊技機１０の前側にて椅子（図示しない）に着座した遊技者により視認され易くかつ操作され易い位置に維持される。また、当該タッチパネル部２５０は、処理制御装置２２０（図１１参照）からの表示データを表示し、或いは、操作出力を遊技制御装置１４０（図８参照）に出力するようになっている。
【００９０】
ここで、当該タッチパネル部２５０は、パチンコ遊技機１００による遊技を終了するとき押動操作される遊技終了ボタン部（図示しない）及び球貸し処理装置２００の挿入部２１０ａに挿入済みのＩＣカードを当該挿入部２１０ａから排出するとき押動操作されるカード排出ボタン部（図示しない）を有する。なお、回動部材２００ｂは、他側回動部２４０の延出端部にて、本体枠１２０の下側枠板１２０ｄの右端部に図示しない他の施錠機構（図示しない）により施錠可能となっている。
【００９１】
以上のように構成した本実施形態において、球貸し処理装置２００が、図１〜図３、図１３及び図１４にて示す位置にあるものとする。
【００９２】
このとき、操作表示回動部材２００ｂは、装置本体２００ａに対し直角に位置するように、当該装置本体２００ａの前側切り欠き部２１１から右方へ延出している。これにより、当該操作表示回動部材２００ｂは、装置本体２００ａの前側切り欠き部２１１及び遊技機本体１００ｂの本体枠１２０の前側下部（下側枠板１２０ｄ）にその前側から沿うように位置している。
【００９３】
このような状態にあっては、操作表示回動部材２００ｂの一側回動部２３０が、装置本体２００ａの前側切り欠き部２１１内に位置して閉じた状態にある。また、他側回動部２４０が、本体枠１２０の前側下部に沿うように位置して閉じた状態にある。
【００９４】
このとき、上記上側キャップ部が、上記一側コイルスプリングに抗して機枠１１０ｂの中側ヒンジ１１３の貫通孔部１１３ａ内にその下方から係合するともに、上記下側キャップ部が、上記他側コイルスプリングに抗して本体枠１２０の下側ヒンジ１２２の貫通孔部１２２ａを介し機枠１１０ｂの下側ヒンジ１１２の貫通孔部１１２ａ内にその上方から係合している。
【００９５】
このことは、上下両側キャップ部、一側及び他側のコイルスプリング、中側ヒンジ１１３の貫通孔部１１３ａ、下側ヒンジ１２２の貫通孔部１２２ａ、下側ヒンジ１１２の貫通孔部１１２ａ、中間軸２３２の軸方向上下両側端部が、中間軸２３２に対する保持手段としての役割を果たす。
【００９６】
これにより、一側回動部２３０は、機枠１１０ｂの中側ヒンジ１１３と本体枠１２０の下側ヒンジ１２２との間において、上記上下両側キャップ部を介し、中間軸２３２でもって、本体枠１２０及び前枠１６０の各回動軸と同軸的に支持されて、装置本体２００ａの前側切り欠き部２１１内に回動不能に維持されている。
【００９７】
また、上述のように、操作表示回動部材２００ｂが、その他側回動部２４０にて、本体枠１２０の前側下部、即ち、下側枠板１２０ｄに沿うように位置して閉じた状態にあっても、ハンドル１５０ｂは、他側回動部２４０の切り欠き部２４２を介し前方を臨むように突出して位置する。従って、遊技者は、その手により、ハンドル１５０ｂの操作を容易に行うことができる。
【００９８】
このような状態において、例えば、遊技盤１３０や前扉１００ｃの調整等のメンテナンス作業或いは遊技盤１３０や前扉１００ｃの交換時期の到来により当該遊技盤１３０や前扉１００ｃの交換作業が要請される場合には、遊技機本体１００ｂを前扉１００ｃとともに開くにあたり、上記施錠機構による前扉１００ｃの本体枠１２０に対する施錠を解除するとともに、上記他の施錠機構による回動部材２００ｂの本体枠１２０に対する施錠を解除する。これに伴い、回動部材２００の他側回動部２００ｂは、中間軸２３２を基準に回動可能となる。
【００９９】
然る後、本体枠１２０（遊技機本体１００ｂ）をその回動軸を基準にして前方へ回動させると、前扉１００ｃがその回動軸を基準に本体枠１２０とともに同軸的に回動するとともに、回動部材２００の他側回動部２４０が、中間軸２３２を軸として、本体枠１２０とともに同軸的に回動する。
【０１００】
このような過程においては、前扉１００ｃ及び他側回動部２４０が、本体枠１２０の回動に従い当該本体枠１２０により前方へ押し出されるようにして回動する。このことは、他側回動部２４０が、本体枠１２０の回動に追随して、前扉１００ｃとともに回動することを意味する。
【０１０１】
ここで、回動部材２００ｂが、その中間軸２３２にて、上述のごとく、本体枠１２０及び前枠１６０の各回動軸と同軸的に支持されている。このため、回動部材２００ｂの中間軸２３２が、本体枠１２０及び前枠１６０の各回動軸から離れて位置することなく、当該各回動軸と同軸的に位置する。
【０１０２】
従って、他側回動部２４０は、本体枠１２０や前扉１００ｃと干渉することなく、円滑に回動する。換言すれば、遊技機本体１００ｂは、回動部材２００ｂの他側回動部２４０により干渉されることなく、前扉１００ｃとともに、円滑に回動して開く。その結果、前扉１００ｃの裏面側からの調整や遊技盤１３０の調整等のメンテナンス作業や交換作業が、その作業性において良好に改善されて、円滑にかつ良好になされ得る。
【０１０３】
また、このようなメンテナンス作業や交換作業を行うにあたっては、回動部材２００ｂの一側回動部２３０を、上述のごとく、装置本体２００ａの前側切り欠き部２１１内に維持した状態で、他側回動部２４０のみを中間軸２３２を軸として回動させればよく、一側回動部２３０まで回動させる必要がない。
【０１０４】
このため、上述のような前扉１００ｃや遊技盤１３０のメンテナンス作業や交換作業を行うにあたっては、回動部材２００ｂのうち本体枠１２０の前側下部、即ち下側枠板１２０ｄに対応する他側回動部２４０のみを回動させれば十分である。その結果、回動部材２００ｂの回動領域及び回動部位を必要最小限に抑制することができる。
【０１０５】
ここで、上述のようなメンテナンス作業や交換作業を行う際に、前扉１００ｃを新たな前扉に交換しても、ハンドル１５０ｂは、上述のごとく、遊技機メーカーにとって個性や商品性を有さない非固有的部品である中枠、即ち、本体枠１２０の左下隅角部に形成した突出部１２５に組み付けられている。従って、前扉１００ｃの交換に付随してハンドル１５０ｂまで交換するという事態は発生しない。このように、遊技機メーカーにとって中枠と共に非固有的部品であるハンドル１５０ｂが、前扉１００ｃの新たな前扉への交換に伴い、交換されることがないので、当該ハンドル１５０は、非固有的部品である中枠と共に、新たに交換することなく、有効に利用することができる。その結果、ホール事業者にとっては、中枠に加えて、ハンドルの無駄で余分な交換をも防ぐこととなり、非常に経済的である。
【０１０６】
また、上述のような遊技盤１３０のメンテナンス作業や交換作業が終了した後は、本体枠１２０及び前扉１００ｃを閉じるとともに、回動部材２００ｂの他側回動部２４０を本体枠１２０の下側枠板１２０に向けて回動して閉じる。然る後、上記施錠機構により、前扉１００ｃを本体枠１２０に施錠するとともに、上記他の施錠機構により、回動部材２００ｂの他側回動部２４０を本体枠１２０に施錠する。これにより、回動部材２００ｂは、図１〜図３にて示す状態に復帰する。
【０１０７】
このような状態において、遊技者が遊技台設備Ａの遊技機１００による遊技を行い、この遊技中において、回動部材２００ｂのタッチパネル部２５０が、遊技制御装置１４０による制御のもとに、遊技者の遊技に起因して生ずる遊技情報を表示すれば、当該タッチパネル部２５０は、遊技者の正面に位置しているため、遊技者はタッチパネル部２５０の表示遊技情報を視認し易く、容易に視認することができる。
【０１０８】
従って、遊技者はタッチパネル部２５０の表示遊技情報に基づき必要な遊技処理を良好に行うことができる。その結果、遊技者のタッチパネル部２５０に対する視認環境を見易い良好な視認環境として確保しつつ、上述した種々の作用効果を達成することができる。
【０１０９】
また、上述のように遊技者が遊技台設備Ａの遊技機１００による遊技を行っている間に、例えば、上述のようなタッチパネル部２５０の表示遊技情報に基づきタッチパネル部２５０の操作が必要となった場合には、当該タッチパネル部２５０は、上述のように遊技者の正面に位置しているため、遊技者はタッチパネル部２５０を操作し易く、容易に必要な操作をすることができる。
【０１１０】
従って、遊技者のタッチパネル部２５０に対する操作環境を操作し易い良好な操作環境として確保しつつ、上述した種々の作用効果を達成することができる。
【０１１１】
また、上述した遊技盤１３０のメンテナンス作業や交換作業ではなく、遊技機設備Ａにおいて、球貸し処理装置２００或いは遊技機１００を外す必要が生じた場合には、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させる。
【０１１２】
これに伴い、中間軸２３２を、その軸方向上側端部にて、機枠１００ａの中側ヒンジ１１３の貫通孔部１１３ａから脱出させ、かつ、軸方向下側端部にて、本体枠１２０の下側ヒンジ１２２の貫通孔部１２２ａ及び機枠１００ａの下側ヒンジ１１２の貫通孔部１１２ａから脱出させる。このことは、操作表示回動部材２００ｂが、一側回動部２３０にて、中間軸２３２を介する遊技機本体１００ｂとの支持から解除されることを意味する。このため、回動部材２００ｂは、他側回動部２４０だけでなく一側回動部２３０も、回動可能となる。
【０１１３】
このような段階にて、回動部材２００を、一側回動部２３０にて、基軸２３１を軸として本体枠１２０の前側切り欠き部２１１から離れる方向に回動させる。これにより、一側回動部２３０が、機枠１００ａの中側ヒンジ１１３と本体枠１２０の下側ヒンジ１２２との間から解放されて、他側回動部２４０とともに開く。これに伴い、装置本体２００ａが、回動部材２００ｂとともに、遊技機１００と分離可能となる。
【０１１４】
従って、このような状態にて、装置本体２００ａを、回動部材２００ｂとともに、上記島設備の設置台から取り外して遊技機１００と分離すれば、装置本体２００ａのメンテナンス作業や交換作業が容易に行える。また、遊技機１００も同様にメンテナンス作業や交換作業が容易に行える。
【０１１５】
また、上述したごとく、演出用ボタンスイッチ装置ＰＢが、前扉１００ｃの前枠１６０の左下隅角部にその前側から装着されている。当該演出用ボタンスイッチ装置ＰＢは、遊技盤１３０や前扉１００ｃと共に、遊技機メーカーの個性や商品性を発揮することから、この演出用ボタンスイッチ装置ＰＢを前枠１６０に組み付けることで、遊技機メーカーは、遊技盤１３０や前扉１００ｃの交換の際には、当該遊技機メーカーの個性や商品性を発揮し得る新たな演出用ボタンスイッチ装置ＰＢの採用が可能となる。
【０１１６】
また、当該演出用ボタンスイッチ装置ＰＢは、機枠１００ａの中側ヒンジ１１３上に装着されている。ここで、当該中側ヒンジ１１３は、中枠１２０ｃとは分離している。従って、遊技盤１３０から生ずる振動は、演出用ボタンスイッチ装置ＰＢには伝わりにくい。このため、ボタンスイッチ装置ＰＢが誤動作しにくい。
【０１１７】
また、当該演出用ボタンスイッチ装置ＰＢは、遊技者の遊技中において操作し易い位置にて前扉１００ｃの前枠１６０に設けられているので、遊技者は、ボタンスイッチ装置ＰＢのタイミングの良い押動操作のもとに、快適な遊技を継続することができる。
【０１１８】
また、左右両側音声光演出装置ＳＬＤも、遊技盤１３０や前扉１００ｃと共に、遊技機メーカーの個性や商品性を発揮することから、この左右両側音声光演出装置ＳＬＤを前扉に設けることで、遊技機メーカーは、遊技盤１３０や前扉１００ｃの交換の際には、当該遊技機メーカーの個性や商品性を発揮し得る新たな音声光演出装置ＳＬＤの採用が可能となる。
【０１１９】
ここで、上述したごとく、電気接続機構１８０のコネクタ部材１８３が、遊技盤１３０の盤面１３１に組み付けられている。然るに、電気接続機構１８０のうちコネクタ部材１８３は、前扉１００ｃの演出用ボタンスイッチ装置ＰＢ及び左右両側音声光演出装置ＳＬＤと遊技盤１３０の後側の遊技制御装置１４０との間において、上述のごとく演出制御関係を形成するにあたり、必須のものである。
【０１２０】
従って、遊技制御装置１４０に接続してなるコネクタ部材は、上述のごとく遊技機メーカーの個性や商品性を発揮し得るように、設けることが必要である。
【０１２１】
このようなことから、コネクタ部材１８３を遊技盤１３０に設けることで、演出用ボタンスイッチ装置ＰＢや左右両側音声光演出装置ＳＬＤに対し遊技機メーカーの個性や商品性を発揮させる役割を果たさせるようにした。
【０１２２】
従って、遊技機メーカーが遊技盤や前扉を新たに交換する際には、当該遊技機メーカーはその個性や商品性を発揮し得る新たな左右両側音声光演出装置ＳＬＤを採用することができる。なお、このようなことは、音声光演出装置ＳＬＤが、従来通り、前扉１００ｃに設けられているものであっても、同様である。
【０１２３】
また、ハンドル１５０ｂは、前扉１００ｃの演出仕様とは無関係であるから、操作表示回動部材２００ｂとともに新たに交換する必要性がない構成部品である。従って、ハンドル１５０ｂは、操作表示回動部材２００ｂとともに使い回しすることで、ホール側におけるコストの軽減が確保され得る。
【０１２４】
以上述べたように、本実施形態によれば、球発射装置１５０のハンドル１５０ｂが、前扉１００ｃではなく、中枠である本体枠１２０の左下隅角部に形成した突出部１２５に組み付けられている。従って、遊技機メーカーにとって個性や商品性を有する固有的部品である前扉１００ｃをその交換時期に新たな前扉に交換するにあたり、遊技機メーカーにとって個性や商品性を有さない非固有的部品であるハンドル１５０ｂを、これと同様に非固有的部品である中枠、即ち、本体枠１２０と共に、新たに交換することなく済ませることができる。その結果、ホール事業者にとっては、新たな中枠に加えて、新たなハンドルをも準備する必要もなく、非常に経済的である。
【０１２５】
また、上述したごとく、操作表示回動部材２００ｂの他側回動部２４０が本体枠１２０の下側枠板１２０ｄを閉じた状態にあっても、ハンドル１５０ｂは、下側枠板１２０ｄのハンドル１５０ｂの周囲に対する対応突出部１２５とともに、他側回動部２４０の切り欠き部２４２を介し前側に露出し前方を臨むように突出して位置する。従って、遊技者は、その手により、ハンドル１５０ｂの操作を容易に行うことができる。このことは、ハンドル１５０ｂを上述のように本体枠１２０に組み付けても、ハンドル１５０ｂの良好な操作性を維持し得ることを意味する。
【０１２６】
また、上述したごとく、前扉１００ｃの交換の際には、遊技盤１３０や前扉１００ｃと共に、遊技機メーカーの個性や商品性を発揮する固有的部品である演出用ボタンスイッチ装置ＰＢに代えて、当該遊技機メーカーの個性や商品性を発揮し得る新たな固有的部品である演出用ボタンスイッチ装置を採用することができる。
【０１２７】
なお、本発明の実施にあたり、上記実施形態に限ることなく、次のような種々の変形例が挙げられる。
【０１２８】
（１）本発明の実施にあたり、前扉１００ｃは、上記実施形態とは異なり、本体枠１２０の前面の全体に亘り対応するように構成されていてもよい。
【０１２９】
（２）本発明の実施にあたり、回動部材２００ｂは、上記実施形態とは異なり、中間軸２３２及び他側回動部２４０のみでもって構成してもよい。
【０１３０】
（３）本発明の実施にあたり、コネクタ１８３は、遊技盤１３０の左下隅角部から延出する補助壁に設けるようにしてもよい。
【０１３１】
（４）本発明の実施にあたり、演出用ボタンスイッチ装置ＰＢは、機枠１００ａの中側ヒンジ１１３上ではなく、前枠１６０の左下隅角部に設けるようにしてもよい。
【０１３２】
（５）本発明の実施にあたり、電気接続機構１８０は、両コネクタ１８１、１８３及び配線部材１８２の組み合わせ構造に限ることなく、適宜な両電気接続部品及び配線の組み合わせ構造であってもよい。
【０１３３】
（６）本発明の実施にあたり、操作表示回動部材２００ｂを装置本体２００ａとは別体とし、当該操作表示回動部材２００ｂを、単なる扉部材として、前扉１００ｃの直下にて本体枠１２０の左縁下部に前後方向へ開閉可能に支持してもよい。
【０１３４】
（７）また、本発明の実施にあたり、ハンドル１５０ｂは、上記実施形態とは異なり、操作表示回動部材２００ｂの右側部位に設けるようにしてもよい。
【０１３５】
（８）また、本発明の実施にあたり、球発射装置１５０のハンドル１５０ｂは、本体枠１２０の下側枠板１２０ｄの右下隅角部に限ることなく、本体枠１２０の下側枠板１２０ｄに設けられておればよい。
【０１３６】
（９）また、本発明の実施にあたり、ハンドル１５０ｂは、本体枠１２０の下側枠板１２０ｄの右下隅角部に突出形成した突出部１２５に限ることなく、下側枠板１２０ｄの右下隅角部に、直接、組み付けるようにしてもよい。
【０１３７】
（１０）本発明の実施にあたり、球発射装置１５０の球発射装置本体１５０ａは、上記実施形態とは異なり、本体枠１２０の右側下部に設けるようにしてもよい。この場合、球発射装置１５０は、ハンドル１５０ｂの回動操作に応じて球発射装置本体１５０ａによりその発射レールを介し遊技球を案内レール１３２に向けて発射するようにすればよい。
【符号の説明】
【０１３８】
ＰＢ…演出用ボタンスイッチ装置、１００ｃ…前扉、１２０…本体枠（中枠）、
１２５…突出部、１３０…遊技盤、１５０…球発射装置、１５０ｂ…ハンドル。
【図１】
2014188255.tif 000003
【図２】
2014188255.tif 000004
【図３】
2014188255.tif 000005
【図４】
2014188255.tif 000006
【図５】
2014188255.tif 000007
【図６】
2014188255.tif 000008
【図７】
2014188255.tif 000009
【図８】
2014188255.tif 000010
【図９】
2014188255.tif 000011
【図１０】
2014188255.tif 000012
【図１１】
2014188255.tif 000013
【図１２】
2014188255.tif 000014
【図１３】
2014188255.tif 000015
【図１４】
2014188255.tif 000016
【図１５】
2014188255.tif 000017
【図１６】
2014188255.tif 000018
【図１７】
2014188255.tif 000019